(57)【要約】【課題】キャビネットに対する排水ユニットの設置位置が異なる場合であっても対応することができ、システムキッチンのベースキャビネットに同梱する場合には、ベースキャビネットの品番を少なく抑えることができる引出し用高さ制限部材を提供する。【解決手段】９０度の角度で基端部同士が連結された、金属線材によって形成された第１張出体２０及び第２張出体３０を備え、第２張出体３０の張出長さは、第１張出体２０の張出長さよりも短くなっており、第１張出体２０及び第２張出体３０には、引出しの後板にビス止めするためのビス挿通スリット２０Ｓ、３０Ｓを有するビス止め部２４、３４がそれぞれ設けられていると共に、挿入された排水ユニットの止水蓋を傾斜状態に保持する蓋保持穴２０Ｈ、３０Ｈが形成されている。【選択図】        図１
2010162250.tif 000002
【特許請求の範囲】
【請求項１】
排水ユニットが設置されるキャビネットに設けられた引出しの後板または側板に取り付ける引出し用高さ制限部材であって、
９０度〜１３５度の角度で基端部同士が連結された第１張出体及び第２張出体を備え、
前記第２張出体の張出長さは、前記第１張出体の張出長さよりも短くなっており、
前記第１張出体及び前記第２張出体には、引出しの後板または側板にビス止めするためのビス止め部がそれぞれ設けられていることを特徴とする引出し用高さ制限部材。
【請求項２】
前記ビス止め部は、前記第１張出体及び前記第２張出体の幅方向に延びる、ビスの軸部のみを挿通可能なビス挿通スリットを有している請求項１に記載の引出し用高さ制限部材。
【請求項３】
前記第１張出体及び前記第２張出体は、挿入された排水ユニットの止水蓋を傾斜状態に保持する蓋保持穴を有している請求項１または２に記載の引出し用高さ制限部材。
【請求項４】
前記第１張出体及び前記第２張出体は、左右一対の側部線材及び両側部線材をその先端部で連結する端部線材を有する基部を備えており、
前記ビス挿通スリットは、前記基部の両側部線材と、前記基部の張出方向に所定間隔を開けて平行に配設され、両端部が両側部線材に固着された、前記基部の幅方向に延びる２本の連結線材とによって形成されており、
前記蓋保持穴は、前記基部の両側部線材及び端部線材と、両端部が前記基部の両側部線材に固着された、前記基部の幅方向に延びる連結線材とによって形成されており、
前記側部線材、前記端部線材及び前記連結線材は、金属によって形成されている請求項１、２または３に記載の引出し用高さ制限部材。
【請求項５】
排水ユニットが設置されるキャビネットであって、
請求項１、２、３または４に記載の引出し用高さ制限部材が取り付けられた引出しを備えたキャビネット。
【発明の詳細な説明】
【技術分野】
【０００１】
この発明は、排水ユニットが設置される、システムキッチン、流し台、洗面化粧台等のキャビネットの引出しに取り付ける引出し用高さ制限部材及びその引出し用高さ制限部材を引出しに取り付けたキャビネットに関する。
【背景技術】
【０００２】
例えば、図１４に示すように、システムキッチンのベースキャビネット５０には、引出し５１が設けられており、この引出し５１には、フライパン、鍋等の台所用品や調味料等が収容されるようになっている。
【０００３】
ところで、シンク５２が設置されるベースキャビネット５０には、同図に示すように、シンク５２の下面からゴミ収納器等の排水ユニット５３が突出した状態となっており、引出し５１を閉めた状態で、排水ユニット５３と引出し５１とが平面的に重複する場合がある。
【０００４】
このように、引出し５１を閉めた状態で、排水ユニット５３と引出し５１とが平面的に重複する場合は、引出し５１に収納する収納物の高さが部分的に制限されることになるので、図１５に示すように、従来から、引出し５１の後板５１ａには、閉めた状態で、排水ユニット５３の真下に張り出して収納物の高さを制限する高さ制限部材６０が取り付けられている。
【０００５】
この高さ制限部材６０は、図１５及び図１６（ａ）〜（ｃ）に示すように、９０度の角度で基端部同士が連結された高さ制限部６１及び取付部６２を備えており、取付部６２には、ビス孔６３ａを有するビス止め片６３が４箇所設けられている。従って、高さ制限部６１が引出し５１の後板５１ａの上縁から水平方向に延び出すように、取付部６２を後板５１ａの外面に重ね合わせ、取付部６２に設けられたビス止め片６３のビス孔６３ａにビスの軸部を挿通して後板５１ａにねじ込むことで、高さ制限部材６０を引出し５１に取り付けることができる。
【０００６】
【特許文献１】特開２００１−２８６３５８号公報
【発明の開示】
【発明が解決しようとする課題】
【０００７】
ところで、システムキッチンのベースキャビネット５０には種々のタイプのシンク５２を取り付けることができ、取り付けるシンク５２によっては排水ユニット５３の設置位置が異なる場合もあるので、取り付けるシンク５２にあわせて、種々の高さ制限部材６０を製造しておかなければならないといった問題がある。
【０００８】
また、こういった高さ制限部材６０は、ベースキャビネット５０に同梱されるが、ベースキャビネット５０には、どのタイプのシンクが取り付けられるのかが分からないので、シンクに対応した高さ制限部材６０を組み合わせるためには、同じベースキャビネットであっても、同梱される高さ制限部材６０が異なる場合は、ベースキャビネットの品番を変えるといった具合に、高さ制限部材６０が同梱されたベースキャビネットの品番を増やさなければならないといった問題がある。
【０００９】
そこで、この発明の課題は、キャビネットに対する排水ユニットの設置位置が異なる場合であっても対応することができ、システムキッチンのベースキャビネットに同梱する場合には、ベースキャビネットの品番を少なく抑えることができる引出し用高さ制限部材を提供することにある。
【課題を解決するための手段】
【００１０】
上記の課題を解決するため、請求項１に係る発明は、排水ユニットが設置されるキャビネットに設けられた引出しの後板または側板に取り付ける引出し用高さ制限部材であって、９０度〜１３５度の角度で基端部同士が連結された第１張出体及び第２張出体を備え、前記第２張出体の張出長さは、前記第１張出体の張出長さよりも短くなっており、前記第１張出体及び前記第２張出体には、引出しの後板または側板にビス止めするためのビス止め部がそれぞれ設けられていることを特徴とする引出し用高さ制限部材を提供するものである。
【００１１】
また、請求項２に係る発明は、請求項１に係る発明の引出し用高さ制限部材において、前記ビス止め部が、前記第１張出体及び前記第２張出体の幅方向に延びる、ビスの軸部のみを挿通可能なビス挿通スリットを有している点を特徴としている。
【００１２】
また、請求項３に係る発明は、請求項１または２に係る発明の引出し用高さ制限部材において、前記第１張出体及び前記第２張出体が、挿入された排水ユニットの止水蓋を傾斜状態に保持する蓋保持穴を有している点を特徴としている。
【００１３】
また、請求項４に係る発明は、請求項１、２または３に係る発明の引出し用高さ制限部材において、前記第１張出体及び前記第２張出体は、左右一対の側部線材及び両側部線材をその先端部で連結する端部線材を有する基部を備えており、前記ビス挿通スリットは、前記基部の両側部線材と、前記基部の張出方向に所定間隔を開けて平行に配設され、両端部が両側部線材に固着された、前記基部の幅方向に延びる２本の連結線材とによって形成されており、前記蓋保持穴は、前記基部の両側部線材及び端部線材と、両端部が前記基部の両側部線材に固着された、前記基部の幅方向に延びる連結線材とによって形成されており、前記側部線材、前記端部線材及び前記連結線材は、金属によって形成されている点を特徴としている。
【００１４】
また、請求項５に係る発明は、排水ユニットが設置されるキャビネットであって、請求項１、２、３または４に記載の引出し用高さ制限部材が取り付けられた引出しを備えていることを特徴としている。
【発明の効果】
【００１５】
以上のように、請求項１にかかる発明の引出し用高さ制限部材は、第２張出体の張出長さが、第１張出体の張出長さよりも短くなっており、第１張出体及び第２張出体には、引出しの後板または側板にビス止めするためのビス止め部がそれぞれ設けられているので、排水ユニットと引出し後部との重複領域が大きい場合は、張出長さの長い第１張出体が引出しの後板または側板から内側に張り出すように、第２張出体を後板または側板に重ね合わせ、そのビス止め部において後板または側板にビス止めすればよく、排水ユニットと引出し後部との重複領域が小さい場合は、張出長さの短い第２張出体が引出しの後板または側板から内側に張り出すように、第１張出体を後板または側板に重ね合わせ、そのビス止め部において後板または側板にビス止めすればよい。
【００１６】
このように、この引出し用高さ制限部材は、キャビネットに対する排水ユニットの設置位置が異なる場合にも対応することができるので、キャビネットに対する排水ユニットの設置位置に応じて、専用の引出し用高さ制限部材を個別に製造する必要がなく、経済的に有利であると共に、システムキッチンのベースキャビネットに同梱する場合においても、ベースキャビネットの品番を少なく抑えることができるという効果が得られる。
【００１７】
また、請求項２に係る発明の引出し用高さ制限部材は、ビス止め部が、第１張出体及び第２張出体の幅方向に延びる、ビスの軸部のみを挿通可能なビス挿通スリットを有しているので、第１張出体及び第２張出体におけるビス止め位置の自由度が大きく、ビス止めしやすいといった効果が得られる。
【００１８】
また、請求項３に係る発明の引出し用高さ制限部材は、第１張出体及び第２張出体が、挿入された排水ユニットの止水蓋を傾斜状態に保持する蓋保持穴を有しているので、引出しの後板または側板から内側に張り出した第１張出体または第２張出体の蓋保持穴に止水蓋を嵌め入れて傾斜状態に保持することができ、使用頻度の少ない排水ユニットの止水蓋を無駄なく収納することができる。
【００１９】
また、請求項４に係る発明の引出し用高さ制限部材は、第１張出体及び第２張出体を構成している側部線材、端部線材及び連結線材が金属によって形成されているので、十分な強度を確保することができる。
【発明を実施するための最良の形態】
【００２０】
以下、実施の形態について図面を参照して説明する。図１に示す引出し用高さ制限部材２は、図２から図５に示すように、システムキッチンにおけるシンク３が設置されるベースキャビネット１に設けられた引出し１１の後板１２に取り付けることで、引出し１２を閉めた状態で、シンク３に取り付けられた排水ユニット４の真下に張り出して収納物の高さを制限するものであり、ステンレス線材等の金属線材によって形成された、９０度の角度で基端部同士が連結された第１張出体２０及び第２張出体３０を備えている。
【００２１】
前記第１張出体２０及び前記第２張出体３０は、略長方形状に形成された環状線材を所定位置で９０度屈曲することによって形成された、左右一対の側部線材２２、２２及び側部線材３２、３２と、両側部線材２２、２２及び両側部線材３２、３２を、それらの先端部でそれぞれ連結する端部線材２３及び端部線材３３とからなる基部２１及び基部３１を備えており、基部３１の張出長さは９３ｍｍで、基部２１の張出し長１３７ｍｍの約２／３程度の張出し長さを有している。
【００２２】
前記第１張出体２０及び前記第２張出体３０には、引出しの後板にビス止めするためのビス止め部２４及びビス止め部３４がそれぞれ設けられており、このビス止め部２４及びビス止め部３４は、基部２１及び基部３１の両側部線材２２、２２及び両側部線材３２、３２と、基部２１及び基部３１の張出方向に所定間隔を開けて平行に配設され、両端部が両側部線材２２、２２及び両側部線材３２、３２にそれぞれ固着された、基部２１及び基部３１の幅方向に延びる２本の連結線材２５、２５及び連結線材３５、３５とによって形成される、ビスＳの軸部のみを挿通可能なビス挿通スリット２０Ｓ及びビス挿通スリット３０Ｓをそれぞれ有している。
【００２３】
また、前記第１張出体２０及び前記第２張出体３０は、基部２１及び基部３１の先端側に排水ユニット４の止水蓋Ｃを傾斜状態に保持する蓋保持穴２０Ｈ及び蓋保持穴３０Ｈを有しており、蓋保持穴２０Ｈは、基部２１の両側部線材２２、２２及び端部線材２３と、両端部が基部２１の両側部線材２２、２２にそれぞれ固着された、基部２１の幅方向に延びる連結線材２６とによって形成されていると共に、蓋保持穴３０Ｈは、基部３１の両側部線材３２、３２及び端部線材３３と、ビス挿通スリット３０Ｓを形成している基部３１の先端側の連結線材３５とによって形成されている。
【００２４】
以下、この引出し用高さ制限部材２の引出し１１への取付方法について説明する。まず、図２に示すベースキャビネット１のように、排水ユニット４と引出し１１の後部との重複領域が大きい場合は、図３〜図５に示すように、引出し１２を閉めた状態で、張出長さの長い第１張出体２０が引出し１１の後板１２から排水ユニット４の真下に張り出すように、張出長さの短い第２張出体３０を後板１２に重ね合わせ、そのビス止め部３４のビス挿通スリット３０ＳにビスＳの軸部を挿通して後板１２にビス止めすればよい。
【００２５】
また、排水ユニット４の止水蓋Ｃは、図４に示すように、第１張出体２０の蓋保持穴２０Ｈに差し込み、止水蓋Ｃの上面及び下面を連結線材２６及び基部２１の端部線材２３によってそれぞれ支持することで、傾斜状態に保持することができる。
【００２６】
一方、図６に示すベースキャビネット１Ａのように、排水ユニット４と引出し１１の後部との重複領域が小さい場合は、図７〜図９に示すように、引出し１２を閉めた状態で、張出長さの短い第２張出体３０が引出し１１の後板１２から排水ユニット４の真下に張り出すように、張出長さの長い第１張出体２０を後板１２に重ね合わせ、そのビス止め部２４のビス挿通スリット２０ＳにビスＳの軸部を挿通して後板１２にビス止めすればよく、排水ユニット４の止水蓋Ｃは、図８に示すように、第２張出体３０の蓋保持穴３０Ｈに差し込み、止水蓋Ｃの上面及び下面を連結線材３５及び基部３１の端部線材３３によってそれぞれ支持することで、傾斜状態に保持することができる。
【００２７】
また、図１０に示すベースキャビネット１Ｂの場合は、排水ユニット４と引出し１１の後部との重複領域が小さいので、ベースキャビネット１Ａの場合と同様に、張出長さの短い第２張出体３０が引出し１１の後板１２から排水ユニット４の真下に張り出すように、張出長さの長い第１張出体２０を後板１２にビス止めすることになるが、このベースキャビネット１Ｂは、排水ユニット４と引出し１１の後部とが高さ方向に接近しているため、引出し１１の後板１２の高さが低くなっており、図１２（ａ）に示すように、後板１２にビス止めされる第１張出体２０が後板１２の下端から下方側に張り出すことになる。
【００２８】
従って、このような場合は、同図（ｂ）に示すように、第１張出体２０が下方側に張り出さないように、その基部２１を形成している両側部線材２２、２２を適当な位置で切断し、同図（ｃ）に示すように、両側部線材２２、２２の切断端部にキャップＰＣを嵌着した後、図１１に示すように、ベースキャビネット１Ａの場合と同様に、先端部が切除された第１張出体２０を後板１２にビス止めすればよい。
【００２９】
以上のように、この引出し用高さ制限部材２は、第２張出体３０の張出長さが、第１張出体２０の張出長さよりも短くなっており、第１張出体２０及び第２張出体３０には、引出し１１の後板１２にビス止めするためのビス止め部２４、３４がそれぞれ設けられているので、上述したように、排水ユニット４と引出し１１の後部との重複領域が大きい場合は、張出長さの長い第１張出体２０が引出し１１の後板１２から内側に張り出すように、第２張出体３０を後板１２にビス止めすればよく、排水ユニット４と引出し１１の後部との重複領域が小さい場合は、張出長さの短い第２張出体３０が引出し１１の後板から内側に張り出すように、第１張出体２０を後板１２にビス止めすればよい。
【００３０】
このように、この引出し用高さ制限部材２は、ベースキャビネット１に対する排水ユニット４の設置位置が異なる場合にも対応することができるので、ベースキャビネット１に対する排水ユニット４の設置位置に応じて、専用の引出し用高さ制限部材を個別に製造する必要がなく、経済的に有利であると共に、システムキッチンのベースキャビネット１に同梱する場合においても、ベースキャビネット１の品番を少なく抑えることができるという効果が得られる。
【００３１】
また、この引出し用高さ制限部材１では、第１張出体２０及び第２張出体３０に設けられたビス止め部２４、３４が、第１張出体２０及び第２張出体３０の幅方向に延びる、ビスＳの軸部のみを挿通可能なビス挿通スリット２０Ｓ、３０Ｓを有しているので、第１張出体２０及び第２張出体３０におけるビス止め位置の自由度が大きく、ビス止め作業性に優れている。
【００３２】
また、この引出し用高さ制限部材１は、第１張出体２０及び第２張出体３０が、挿入された排水ユニット４の止水蓋Ｃを傾斜状態に保持する蓋保持穴２０Ｈ、３０Ｈを有しているので、引出し１１の後板１２から内側に張り出した第１張出体２０または第２張出体３０の蓋保持穴２０Ｈ、３０Ｈに止水蓋Ｃを嵌め入れて傾斜状態に保持することができ、使用頻度の少ない排水ユニット４の止水蓋Ｃを無駄なく収納することができる。
【００３３】
なお、上述した実施形態では、第１張出体２０の張出長さが１３７ｍｍ、第２張出体３０の張出長さが９３ｍｍの引出し用高さ制限部材１について説明したが、これに限定されるものではなく、第１張出体２０の張出長さは２００〜１００ｍｍ、第２張出体３０の張出長さは９９〜８０ｍｍで、第１張出体２０の張出長さに対する第２張出体３０の張出長さの比率が、０．９〜０．４の範囲内で適宜設定すればよい。
【００３４】
また、上述した実施形態では、第１張出体２０と第２張出体３０のなす角度が略９０度の引出し用高さ制限部材１について説明したが、これに限定されるものではなく、第１張出体２０と第２張出体３０のなす角度は、排水ユニット４の形状等に応じて、９０度〜１３５度の範囲内で適宜設定すればよい。
【００３５】
また、上述した実施形態では、排水ユニット４の止水蓋Ｃを引出し用高さ制限部材２の第１張出体２０や第２張出体３０の蓋保持穴２０Ｈ、３０Ｈに上から差し込んで傾斜状態に保持する場合について説明したが、これに限定されるものではなく、例えば、図１３（ａ）、（ｂ）に示すように、排水ユニット４の止水蓋Ｃを引出し用高さ制限部材２の第１張出体２０における側部線材２２、２２、連結線材２６及び連結線材２５によって形成される蓋保持穴２０Ｈａ（図１（ａ）参照）や第２張出体３０の蓋保持穴３０Ｈに差し込んで、止水蓋Ｃの下側を引出し１１の奥側の下隅部で支持すると共に止水蓋Ｃの上側を第１張出体２０の連結線材２６や第２張出体３０の端部線材３３に持たせ掛けることで、止水蓋Ｃを傾斜状態に保持することも可能である。
【００３６】
また、上述した実施形態では、金属線材によって形成された引出し用高さ制限部材１について説明したが、これに限定されるものではなく、金属または合成樹脂の板材によって形成することも可能である。その場合は、板状の第１張出体や第２張出体にビス挿通スリットや蓋保持穴を開口することになる。
【００３７】
また、上述した実施形態では、第１張出体２０及び第２張出体３０に、排水ユニット４の止水蓋Ｃを保持可能な蓋保持穴２０Ｈ、３０Ｈを形成しているが、蓋保持穴２０Ｈ、３０Ｈは必ずしも設けておく必要はない。
【００３８】
また、上述した実施形態では、引出し１１の後板１２の外面に引出し用高さ制限部材１をビス止めしているが、これに限定されるものではなく、後板１２の内面にビス止めしてもよく、排水ユニット４の配置によっては、引出し１１の側板の外面または内面にビス止めすることも可能である。
【００３９】
また、上述した実施形態では、システムキッチンのベースキャビネット１の引出し１１に取り付ける引出し用高さ制限部材１について説明したが、これに限定されるものではなく、流し台、洗面化粧台等の排水ユニットが設置される種々のキャビネットの引出しに取り付けることができる。
【図面の簡単な説明】
【００４０】
【図１】（ａ）はこの発明にかかる引出し用高さ制限部材の一実施形態を示す平面図、（ｂ）は同上の引出し用高さ制限部材を示す後面図、（ｃ）は同上の引出し用高さ制限部材を示す側面図である。
【図２】（ａ）は同上の引出し用高さ制限部材を取り付けたシステムキッチンのベースキャビネットを示す正面図、（ｂ）は同上のベースキャビネットを示す断面図である。
【図３】（ａ）は同上のベースキャビネットを示す平面図、（ｂ）は同上のベースキャビネットの引出しを示す後面図である。
【図４】同上のベースキャビネットの引出しに取り付けた同上の引出し用高さ制限部材と排水ユニットとの関係を示す部分拡大断面図である。
【図５】同上の引出し用高さ制限部材を取り付けた同上のベースキャビネットの引出しを示す部分拡大後面図である。
【図６】（ａ）は同上の引出し用高さ制限部材を取り付けたシステムキッチンの他のベースキャビネットを示す正面図、（ｂ）は同上のベースキャビネットを示す断面図である。
【図７】（ａ）は同上のベースキャビネットを示す平面図、（ｂ）は同上のベースキャビネットの引出しを示す後面図である。
【図８】同上のベースキャビネットの引出しに取り付けた同上の引出し用高さ制限部材と排水ユニットとの関係を示す部分拡大断面図である。
【図９】同上の引出し用高さ制限部材を取り付けた同上のベースキャビネットの引出しを示す部分拡大後面図である。
【図１０】同上の引出し用高さ制限部材を取り付けたシステムキッチンの他のベースキャビネットを示す断面図である。
【図１１】同上の引出し用高さ制限部材を取り付けた同上のベースキャビネットの引出しを示す部分拡大後面図である。
【図１２】（ａ）〜（ｃ）は同上のベースキャビネットの引出しに同上の引出し用高さ制限部材を取り付ける方法を説明するための説明図である。
【図１３】（ａ）、（ｂ）は同上の引出し用高さ制限部材による排水ユニットの止水蓋の他の保持方法を示す断面図である。
【図１４】一般的なシステムキッチンのベースキャビネットを示す断面図である。
【図１５】従来の引出し用高さ制限部材を同上のベースキャビネットの引出しに取り付けた状態を示す断面図である。
【図１６】（ａ）は従来の引出し用高さ制限部材を示す平面図、（ｂ）は同上の引出し用高さ制限部材を示す後面図、（ｃ）は同上の引出し用高さ制限部材を示す側面図である。
【符号の説明】
【００４１】
１、１Ａ、１Ｂ  ベースキャビネット
２  引出し用高さ制限部材
３  シンク
４  排水ユニット
１１  引出し
１２  後板
２０  第１張出体
２０Ｈ、２０Ｈａ  蓋保持穴
２０Ｓ  ビス挿通スリット
２１  基部
２２  側部線材
２３  端部線材
２４  ビス止め部
２５、２６  連結線材
３０  第２張出体
３０Ｈ  蓋保持穴
３０Ｓ  ビス挿通スリット
３１  基部
３２  側部線材
３３  端部線材
３４  ビス止め部
３５  連結線材
Ｃ  止水蓋
ＰＣ  キャップ  
Ｓ  ビス
【図１】
2010162250.tif 000003
【図２】
2010162250.tif 000004
【図３】
2010162250.tif 000005
【図４】
2010162250.tif 000006
【図５】
2010162250.tif 000007
【図６】
2010162250.tif 000008
【図７】
2010162250.tif 000009
【図８】
2010162250.tif 000010
【図９】
2010162250.tif 000011
【図１０】
2010162250.tif 000012
【図１１】
2010162250.tif 000013
【図１２】
2010162250.tif 000014
【図１３】
2010162250.tif 000015
【図１４】
2010162250.tif 000016
【図１５】
2010162250.tif 000017
【図１６】
2010162250.tif 000018